(57)【特許請求の範囲】
【請求項１】
二つの柱とこの柱を橋絡する上梁および下梁とで規定される壁空間を少なくとも二つの空間に区画するべく、両梁から十分な間隔を持って設けられた少なくとも一本の横材と、この横材により区画された空間のうち少なくとも一つの空間に配された制振装置とを具備しており、制振装置は、容器と、この容器に対して間隔をもって容器内に可動に配された可動板と、容器内に収容された粘性体とを具備しており、横材は両柱を橋絡している制振壁構造。
【請求項２】
容器は、下梁に取り付けられており、可動板は、横材に取り付けられている請求項１に記載の制振壁構造。
【請求項３】
可動板は、上梁に取り付けられており、容器は、横材に取り付けられている請求項１に記載の制振壁構造。
【請求項４】
制振装置と横材とは、化粧壁内に配されている請求項１から３のいずれか一項に記載の制振壁構造。
【請求項５】
容器は、粘性体を収容した容器本体と、この容器本体の底部に固着された取り付け部とを具備しており、可動板は、容器本体内に配された少なくとも一枚の可動板本体と、この可動板本体に固着された取り付け部とを具備している請求項１から４のいずれか一項に記載の制振壁構造。
【発明の詳細な説明】
【０００１】
【発明の属する技術分野】
本発明は、建物等の壁に制振装置、特に、粘性体の粘性剪断抵抗を利用した制振装置を内装した制振壁構造に関する。
【０００２】
【発明が解決しようとする課題】
建物等の壁に制振装置を埋め込んで、当該壁を制振構造とし、而して、建物全体を制振構造にする技術が既に提案されている。
【０００３】
この種の制振装置の一つとして、粘性体を容器内に配し、可動板を容器内の粘性体に浸漬させて容器に対して可動に配されてなるものが知られており、この制振装置では、地震等による容器に対する可動板の振動において、容器と可動板との間の粘性体に粘性剪断を生じさせ、この粘性剪断における粘性剪断抵抗により制振効果を得るようにしている。
【０００４】
ところで、制振装置は、通常、可動板が天井側の上梁等に、容器が床側の下梁等に取り付けられて壁内に配されるが、この制振装置およびこれを各梁等に取り付ける取り付け機構が壁の内部全体を占有すると、壁に窓や扉等を設置したい場合は、制振装置および取り付け機構が邪魔となって、それが極めて困難となることがある。
【０００５】
本発明は、前記諸点に鑑みてなされたものであって、その目的とするところは、窓や扉等の設置空間又は通路としての空間を確保できる制振壁構造を提供することにある。
【０００６】
【課題を解決するための手段】
本発明の第一の態様の制振壁構造は  二つの柱とこの柱を橋絡する上梁および下梁とで規定される壁空間を少なくとも二つの空間に区画するべく、両梁から十分な間隔を持って設けられた少なくとも一本の横材と、この横材により区画された少なくとも一つの空間に配された制振装置とを具備しており、制振装置は、容器と、この容器に対して間隔をもって容器内に可動に配された可動板と、容器内に収容された粘性体とを具備しており、横材は両柱を橋絡している。
【０００７】
第一の態様の制振壁構造によれば、壁空間が少なくとも一本の横材により区画され、この横材により区画されたいずれか一つの空間に制振装置が配されているために、制振装置が配された空間以外に少なくとも一つの大きな他の空間を壁空間に確保でき、而して、この他の空間に窓等の設置ができ、壁空間を有効に使用できる。
【０００８】
本発明の第二の態様の制振壁構造では、第一の態様の制振壁構造において、容器は、下梁に取り付けられており、可動板は、横材に取り付けられている。
【０００９】
本発明の第三の態様の制振壁構造では、第一の態様の制振壁構造において、可動板は、上梁に取り付けられており、容器は、横材に取り付けられている。
【００１０】
第二または第三の態様の制振壁構造のように、制振装置を、区画された最下位の空間または最上位の空間に配することにより、残る他の空間を、広い窓空間として利用でき、好ましい場合がある。
【００１１】
本発明の第四の態様の制振壁構造では、第一から三の態様のいずれかの制振壁構造において、制振装置と横材とは、化粧壁内に配されている。
【００１２】
本発明の第五の態様の制振壁構造は、二つの柱とこの柱を橋絡する上梁および下梁とで規定される壁空間を少なくとも二つの空間に区画するべく、両柱から十分な間隔を持って設けられた少なくとも一本の縦材と、この縦材により区画された少なくとも一つの空間に配された制振装置とを具備しており、ここにおいて、制振装置は、容器と、この容器に対して間隔をもって容器内に可動に配された可動板と、容器内に収容された粘性体とを具備しており、容器は、下梁に取り付けられており、可動板は、上梁に取り付けられており、縦材は上梁および下梁を橋絡している。
【００１３】
第五の態様の制振壁構造によれば、制振装置が縦材により区画された少なくとも一つの空間に配されているために、制振装置が配された空間以外に少なくとも一つの大きな空間を壁空間に確保でき、而して、この空間を扉等の設置または通路とする事ができ、壁空間を有効に使用できる。
【００１４】
本発明の第六の態様の制振壁構造では、第五の態様の制振壁構造において、制振装置と縦材とは、化粧壁内に配されている。
【００１５】
本発明の第七の態様の制振壁構造では、第一から六の態様のいずれかの制振壁構造において、容器は、粘性体を収容した容器本体と、この容器本体の底部に固着された取り付け部とを具備しており、可動板は、容器本体内に配された少なくとも一枚の可動板本体と、この可動板本体に固着された取り付け部とを具備している。
【００１６】
本発明の制振壁構造が適用される建物は、一般の事務所ビル、集合住宅、戸建住宅等を含み、新築又は改築建物のいずれでもよい。
【００１７】
【発明の実施の形態】
次に本発明およびその実施の形態を、図に示す好ましいその例に基づいて更に詳細に説明する。なお、本発明はこれら例に何等限定されないのである。
【００１８】
図１から図３において、本例の制振壁構造１は、二つの柱２１および２２と柱２１および２２を橋絡する上梁２０および下梁１９とで規定される壁空間２３を２つの空間２４および２７に区画するべく、両梁１９および２０から十分な間隔を持って設けられた一本の横材としての中間梁１７と、中間梁１７により区画された下方の空間２７に配された制振装置２とを具備している。
【００１９】
制振装置２は、容器３と、容器３に対して間隔をもって容器３内にＡ方向に可動に配された可動板４と、容器３内に収容された粘性体、本例では高粘性体５とを具備している。
【００２０】
容器３は、高粘性体５を収容した容器本体６と、容器本体６の底部に溶接又はボルト・ナット等により固着された取り付け部としてのＨ型の鋼部材７とを具備している。容器本体６は、四角筒体８と、四角筒体８に溶接等により固着された底板９とを具備している。鋼部材７は、底板９に固着されている。
【００２１】
可動板４は、一部が容器本体６内に配されて、高粘性体５に浸漬された一枚の可動板本体１０と、可動板本体１０の上端部１１に配された取り付け部としてのＨ型の鋼部材１２とを具備しており、可動板本体１０は、上端部１１に溶接等により固着された鍔板１３を具備している。鋼部材１２は溶接又はボルト・ナット等により鍔板１３に固着されている。
【００２２】
可動板本体１０は、容器本体６の内周面１５に対して狭い隙間１６をもって配されており、隙間１６に高粘性体５が充填されており、制振装置２は、地震などにより可動板本体１０が、壁面に沿う横方向、即ちＡ方向に容器本体６に対して相対的に振動されると、高粘性体５が粘性剪断されて、これにより、可動板本体１０の容器本体６に対するＡ方向の相対的振動に対する粘性剪断抵抗が生じ、当該相対的振動を減衰させる。
【００２３】
本例では、制振装置２は、その鋼部材７において溶接又はボルト・ナット等により下梁１９に固着されて、容器３において下梁１９に直接取り付けられている。
【００２４】
中間梁１７は、両柱２１および２２を橋絡して配されており、中間梁１７の両端は、両柱２１および２２に溶接又はボルト・ナット等により夫々固着されている。
【００２５】
このようにして本例では、制振装置２は、その鋼部材１２において中間梁１７に溶接又はボルト・ナット等により固着されて、可動板４が中間梁１７に直接取り付けられている。
【００２６】
以上の制振壁構造１では、地震等により中間梁１７側が下梁１９に対して相対的にＡ方向に振動すると、鋼部材１２を介してＡ方向の相対振動が可動板本体１０に伝達される結果、可動板４と容器３とのＡ方向の相対的振動において、高粘性体５が粘性剪断されて、これにより、Ａ方向の相対的振動に対する粘性剪断抵抗が生じ、当該相対的振動が減衰され、制振作用が発揮される。
【００２７】
そして制振壁構造１では、中間梁１７および上梁２０の間に、大きい空間２４が形成されるために、空間２４を窓２５等の設置に利用できることになる。
【００２８】
本例では、空間２７において、容器３を下梁１９に取り付け、可動板４を、中間梁１７に取り付けたが、これに代えて、空間２４において、可動板４を上梁２０に取り付け、容器４を、中間梁１７に取り付け、空間２７を窓２５等の設置空間として、制振壁構造１を形成してもよい。
【００２９】
また本例では、壁空間２３内に一本の横材としての中間梁１７を設け、区画された下方の空間２７に制振装置２を取り付けたが、これに代えて、複数本の横材を設けてもよく、区画されたいずれかの空間に制振装置２を取り付けて制振壁構造１を形成してもよい。
【００３０】
図４に示す制振壁構造１は、二つの柱２１および２２と柱２１および２２を橋絡する上梁２０および下梁１９とで規定される壁空間２３を二つの空間２４および２７に区画するべく両柱２１および２２から十分な間隔を持って設けられた縦材としての中間柱１８と、中間柱１８により区画されたいずれか一方の空間、本例では空間２７に配された制振装置２とを具備している。図４に示す例の制振壁構造１では、制振装置２の容器３は、鋼部材７において下梁１９に直接取り付けられており、その可動板４は鋼部材１２において上梁２０に直接取り付けられている。中間柱１８は上梁２０および下梁１９を橋絡して配されている。
【００３１】
図４に示す制振壁構造１では、中間柱１８により区画された空間２４を、扉２６等の設置または通路等の空間に利用できる。
【００３２】
壁空間２３を区画する中間柱１８等の縦材は、複数本であってもよく、複数本の縦材により区画されたいずれかの空間に制振装置２を取り付けて制振壁構造１を形成してもよい。
【００３３】
以上の制振装置２と中間梁１７乃至中間柱１８とは、通常、化粧壁内に配されて、外部から見えないようにされる。
【００３４】
なお、制振装置２においては、一枚の可動板本体１０を具備して可動板４を構成したが、可動板本体１０としては、複数枚であってもよく、複数枚の可動板本体１０を相互に隙間をもって鍔板１３に固着して設ける場合には、これらと隙間をもって交互に配される中間壁体を底板９に固着して、容器３を構成してもよい。
【００３５】
【発明の効果】
本発明によれば、窓や扉等の設置空間または通路等の空間を確保できる制振壁構造を提供することができる。
【図面の簡単な説明】
【図１】本発明の制振壁構造の好ましい実施の形態の例の正面図である。
【図２】図１に示す例の一部拡大図である。
【図３】図２のＩＩＩ−ＩＩＩ線断面である。
【図４】本発明の制振壁構造の好ましい実施の形態の他の例の正面図である。
【符号の説明】
１  制振壁構造
２  制振装置
３  容器
４  可動板
５  高粘性体
１７  中間梁
１８  中間柱
【図１】
0004154788.tif 000002
【図２】
0004154788.tif 000003
【図３】
0004154788.tif 000004
【図４】
0004154788.tif 000005